(57)【特許請求の範囲】
【請求項１】
磁気記録層を有する写真フイルムを搬送して、前記磁気記録層上に磁気ヘッドを介して磁気情報の磁気記録又は再生を行う磁気記録再生装置において、
前記写真フイルムの搬送路に該写真フイルムを所定の圧力で挟持して該写真フイルムに付着したゴミを取り除くゴミ取り部材と該ゴミ取り部材に対向する対向パッドを設けると共に、前記ゴミ取り部材及び前記対向パッドの前記写真フイルムに接する先端部を円弧状にし、前記ゴミ取り部材の前記写真フイルムに接する先端部の曲率を、前記対向パッドの前記写真フイルムに接する先端部の曲率よりも小さい円弧状としたことを特徴とする磁気記録再生装置。
【請求項２】
前記ゴミ取り部材及び対向パッドのいずれか一方を付勢するバネを備えたことを特徴とする請求項１の磁気記録再生装置。
【請求項３】
前記ゴミ取り部材の先端部が前記磁気ヘッドの先端部より退避した位置となるように前記ゴミ取り部材を設け、前記写真フイルムが前記磁気ヘッドに巻き付くようにしたことを特徴とする請求項１の磁気記録再生装置。
【発明の詳細な説明】
【０００１】
【発明の属する技術分野】
本発明は磁気記録再生装置に係り、特に磁気記録層を有する写真フイルムの磁気情報の記録再生を行う磁気記録再生装置に関する。
【０００２】
【従来の技術】
磁気記録層が形成された写真フイルムを使用し、撮影時にこの写真フイルムを給送しながら撮影日時や撮影情報等を磁気ヘッドにより書き込み、或いはここから情報を読み出すカメラが提案されている（特開平４−８１７３５号公報、特開平４−２８５９３７号公報）。
【０００３】
また、現像済みの写真フイルムをイメージセンサで撮影し、写真フイルムの画像を画像信号に変換し、これをモニタＴＶに出力してフイルム画像を表示させるフイルム画像再生装置が提案されている。
このようなフイルム画像再生装置に磁気記録再生装置を設け、写真フイルムの磁気記録層に記録された情報をモニタＴＶに再生するときの情報として利用したり、或いは印画紙にフイルム画像を焼き付けるときの情報として利用することが提案されている。
【０００４】
【発明が解決しようとする課題】
上記のようなフイルム画像再生装置において、フイルム搬送の際に、フイルム面に付着したゴミ等が磁気記録再生を行う磁気ヘッドに付着したり、磁気ヘッドのギャップ内に入り込んで目づまりを起こし、正常な磁気記録再生ができない場合がある。特に上記写真フイルムの場合、現像液の残りかす等がフイルムに付着しているため、磁気ヘッドの目づまりを起こしやすい。
【０００５】
本発明はこのような事情に鑑みてなされたもので、フイルムに付着しているゴミ等による磁気ヘッドの目づまりを防止して磁気情報の良好な記録再生を行う磁気記録再生装置を提供することを目的とする。
【０００６】
【課題を解決するための手段】
前記目的を達成する為に、請求項１に記載の磁気記録再生装置は、磁気記録層を有する写真フイルムを搬送して、前記磁気記録層上に磁気ヘッドを介して磁気情報の磁気記録又は再生を行う磁気記録再生装置において、前記写真フイルムの搬送路に該写真フイルムを所定の圧力で挟持して該写真フイルムに付着したゴミを取り除くゴミ取り部材と該ゴミ取り部材に対向する対向パッドを設けると共に、前記ゴミ取り部材及び前記対向パッドの前記写真フイルムに接する先端部を円弧状にし、前記ゴミ取り部材の前記写真フイルムに接する先端部の曲率を、前記対向パッドの前記写真フイルムに接する先端部の曲率よりも小さい円弧状としたことを特徴としている。
請求項２に記載の磁気記録再生装置は、請求項１に記載の発明において、前記ゴミ取り部材及び対向パッドのいずれか一方を付勢するバネを備えたことを特徴としている。
請求項３に記載の磁気記録再生装置は、請求項１に記載の発明において、前記ゴミ取り部材の先端部が前記磁気ヘッドの先端部より退避した位置となるように前記ゴミ取り部材を設け、前記写真フイルムが前記磁気ヘッドに巻き付くようにしたことを特徴としている。
【０００７】
【実施の形態】
以下添付図面に従って本発明に係る磁気記録再生装置の好ましい実施の形態について詳説する。
図１は、本発明に係る磁気記録再生装置が適用されるフイルム画像入力装置の一実施例を示した構造図である。
【０００８】
フイルム画像入力装置の図中二点鎖線で示す本体１０内には、フイルムカートリッジ１２が装着される。前記フイルムカートリッジ１２内には、現像済みの写真フイルム１４がスプール１６に予め巻回されている。この写真フイルム１４は図２に示すように、長手方向に沿って所定の間隔で画像範囲１８、１８…が形成されると共に、画像範囲１８を示す孔部２０Ａ、２０Ｂが画像範囲１８の始端部と終端部とに各々穿設され、更に、フイルム全面又はフイルム縁部に磁気記録層２２が形成されており、この磁気記録層２２には、コマ毎の撮影データ等を示す磁気データが記録できるようになっている。
【０００９】
前記写真フイルム１４は、フイルム駆動メカによって図１に示すフイルムカートリッジ１２から送り出されたのち、図１中矢印方向に給送される。フイルム駆動メカは、フイルムカートリッジ１２のスプール１６と係合し、そのスプール１６を正転／逆転するフイルム供給部と、フイルム巻取室２４の巻取スプール２６と係合し、前記フイルム供給部から送り出される写真フイルム１４を巻き取るフイルム巻取部と、フイルム供給部から送り出された写真フイルム１４をキャプスタン２８、２８とピンチローラ３０、３０とで挟持して一定速度で給送するフイルム給送部とから構成される。
【００１０】
前記フイルム供給部は、フイルムカートリッジ１２のスプール１６を図中時計回り方向に駆動し、フイルム先端が巻取スプール２６によって巻き取られるまで、フイルムカートリッジ１２から写真フイルム１４を送り出すようにしている。更に、フイルム供給部には、前記スプール１６の回転を制御するクラッチ機構が設けられており、このクラッチ機構と前記キャプスタン２８、２８の駆動力の作用によって写真フイルム１４は所定の張力をもって給送される。
【００１１】
一方、ＣＣＤラインセンサ３２が、キャプスタン２８、２８間の上方に設置される。このＣＣＤラインセンサ３２は、写真フイルム１４の給送方向に対して直交方向に配置され、光源３４によって照明された給送中のフイルム１４の透過画像を撮影レンズ３６を介して読み取る。また、ＣＣＤラインセンサ３２の光電変換素子で変換された電気信号は、画像処理装置３８によって画像処理されたのち、モニタＴＶ４０に映像信号として出力される。これにより、モニタＴＶ４０には、写真フイルム１４の画像が表示される。
【００１２】
また、フイルムカートリッジ１２から送り出された写真フイルム１４は、ゴミ取り部材５０、記録ヘッド４２、再生ヘッド４６及びゴミ取り部材５４を介してキャプスタン２８に導かれる。
上記記録ヘッド４２、再生ヘッド４６、ゴミ取り部材５０、５４は写真フイルム１４の上方に設けられ、フイルム画像入力装置本体１０に固定されている。また、これらの記録ヘッド４２、再生ヘッド４６、ゴミ取り部材５０、５４に対応した写真フイルム１４の下方にはそれぞれローラ４４、４８、対向パッド５２、５６が設けられる。
【００１３】
ローラ４４、４８は、スプリングによって上方に付勢されて、写真フイルム１４の磁気記録層２２を記録ヘッド４２、再生ヘッド４６に押しつけることができる。これにより、記録ヘッド４２から磁気記録層２２に磁気データを記録することができ、また、再生ヘッド４６で磁気記録層２２に記録された磁気データを読み取ることができる。再生ヘッド４６で読み取られた磁気データは、図１に示す磁気記録再生装置５１で再生されて前記モニタＴＶ４０上にフイルム画像と共に表示される。
【００１４】
対向パッド５２、５６は、スプリングによって上方に付勢されて、写真フイルム１４の磁気記録層２２をゴミ取り部材５０、５４に押しつけることができる。これにより、写真フイルム１４をゴミ取り部材５０、５４と対向パッド５２、５６とではさみ、写真フイルム１４に付着したゴミを取り除くことができ、記録ヘッド４２、再生ヘッド４６にゴミが付着するのを防止することができる。
【００１５】
尚、ゴミ取り部材５０、５４は、例えばフエルトやエクセーヌ等の柔軟材料、或いは、アルミやステンレス等の硬質材料を使用してもよい。
また、対向パッド５２、５６はポリアセタール等の樹脂や、真鍮等の金属或いはゴムローラでもよい。
更に、上記のようにゴミ取り部材５０、５４を固定して対向パッド５２、５６にスプリングを取り付ける代わりに対向パッド５２、５６を固定してゴミ取り部材５０、５４にスプリングを取り付けるようにしても良い。
【００１６】
更にまた、上記ローラ４４、４８が、磁気データの記録再生時以外のフイルム搬送時にはフイルム搬送路から退避して写真フイルム１４と記録ヘッド４２及び再生ヘッド４６が非接触となるような構成になっている場合には、これと連動して対向パッド５２、５６も退避させるようにしてもよい。
上記ゴミ取り部材５０、５４及び対向パッド５２、５６は図３に示すように写真フイルムと接触する先端部の少なくともフイルムカートリッジ１２側（同図５０Ａ（５４Ａ）、５２Ａ（５６Ａ））を凸型円弧状に形成される。または、面取りが施される。これにより、フイルムカートリッジ１２からの写真フイルム１４の送り出し時にこれらゴミ取り部材５０、５４、対向パッド５２、５６に写真フイルム１４が引っ掛かるのを防止する。
【００１７】
また、図４に示すようにゴミ取り部材５０、５４の先端を平坦又は曲率の小さい凸型円弧状とし、対向パッド５２、５６の先端を曲率の大きい凸型円弧状とすることでゴミ取り部材５０、５４と対向パッド５２、５６の相対位置に対するゴミ取り除去効果の安定性を増すことができる。
更に、図５に示すようにゴミ取り部材５０、５４の先端は記録ヘッド４２、再生ヘッド４６の先端の位置よりも高い方が写真フイルム１４が記録ヘッド４２、再生ヘッド４６に巻きつき、ヘッド出力が安定するため好ましい。
【００１８】
【発明の効果】
以上説明したように本発明に係る磁気記録再生装置によれば、写真フイルムに付着したゴミが磁気ヘッドの位置に搬送されないようにフイルム搬送路にゴミ取り部材を設けたため、写真フイルムの給送を繰り返しても磁気ヘッドにゴミが付着しにくくなり、良好な磁気記録又は再生が行えるようになる。
【００１９】
また、ゴミ取り部材の先端部が磁気ヘッドの先端部より退避した位置となるようにゴミ取り部材を設けることによって、フイルム搬送路を適切に曲げることができるので磁気記録再生が安定になる。
【図面の簡単な説明】
【図１】図１は本発明に係る磁気記録再生装置が適用されるフイルム画像入力装置の一例を示した構造図である。
【図２】図２は写真フイルムの平面図である。
【図３】図３はゴミ取り部材及び対向パッドの形状の一実施例を示した図である。
【図４】図４はゴミ取り部材及び対向パッドの形状の一実施例を示した図である。
【図５】図５はゴミ取り部材と磁気ヘッドの取り付け位置を示した図である。
【符号の説明】
１０…フイルム画像入力装置本体
１２…フイルムカートリッジ
１４…写真フイルム
２２…磁気記録層
３２…ＣＣＤラインセンサ
４２…記録ヘッド
４６…再生ヘッド
４４、４８…ローラ
５０、５４…ゴミ取り部材
５２、５６…対向パッド
【図１】
0003855109.tif 000002
【図２】
0003855109.tif 000003
【図３】
0003855109.tif 000004
【図４】
0003855109.tif 000005
【図５】
0003855109.tif 000006